(57)【要約】【課題】電線群に軸方向の外力が作用しても、電線群を保持するバンドをプロテクタに確実に保持できるワイヤハーネスを提供する。【解決手段】  結束バンド２のバンドヘッド５は、貫通孔４の開口が存在しない外面部のうちの、少なくとも一つの外面部がバンド挿通方向に向かって形状が小さくなるように雄テーパ面５ａとされており、プロテクタ本体部８の底部は、バンドヘッド５を収容しかつ雄テーパ面５ａと係合状態になる雌テーパ面１１ａを有するバンドヘッド収容部１１と、バンド６に形成された係止部７をロックする脱出防止爪１４と、を有し、蓋部９がバンド６に密着するか、または蓋部９とバンド６との隙間が、バンドヘッド５がバンドヘッド収容部１１から脱出しない寸法とされている。【選択図】図３
2017079504.tif 000002
【特許請求の範囲】
【請求項１】
電線群と、
貫通孔を有するバンドヘッドと、一端が前記バンドヘッドの一側面より延出するバンドと、前記バンドの他端側の側面の領域に鋸刃状の係止部とを有する可撓性樹脂製であり、前記電線群を一巻きし、前記バンドの前記他端が前記貫通孔に挿通され、前記電線群を締め付ける結束バンドと、
プロテクタ本体部と蓋部とを有し、前記プロテクタ本体部に前記電線群の前記結束バンドに結束された部分を収容し、前記蓋部で前記プロテクタ本体部の開口部を閉じて保護するプロテクタと、を有するワイヤハーネスにおいて、
前記バンドヘッドは、前記貫通孔の開口が存在しない外面部のうちの、少なくとも一つの外面部がバンド挿通方向に向かって形状が小さくなるように雄テーパ面とされており、
前記プロテクタ本体部の底部は、前記バンドヘッドを収容しかつ前記一つの外面部である雄テーパ面と係合状態になる雌テーパ面を有するバンドヘッド収容部と、前記係止部をロックする脱出防止爪と、を有し、
前記蓋部が前記バンドに密着するか、または前記蓋部と前記バンドとの隙間が、前記バンドヘッドが前記バンドヘッド収容部から脱出しない寸法とされている、ことを特徴とするワイヤハーネス。
【請求項２】
前記バンドヘッドの前記バンドヘッド収容部を外れた底面部の、前記バンドが当接する箇所の両側位置に、前記バンドの移動を拘束する一対のリブを備えている、ことを特徴とする請求項１に記載のワイヤハーネス。
【請求項３】
前記プロテクタ本体部と前記蓋部とからなる前記プロテクタが、前記電線群の幹線と分岐線との分岐部を収容するようにＴ形に設けられ、前記結束バンドおよび前記バンドヘッド収容部が分岐線に対応する位置に備えられている、ことを特徴とする請求項１または２に記載のワイヤハーネス。
【発明の詳細な説明】
【技術分野】
【０００１】
本発明は、電線群を保護するプロテクタを備えるワイヤハーネスに関する。
【背景技術】
【０００２】
自動車に代表される車両に搭載されている電装品は、電力やスイッチセンサ等の情報の多くを電線を介して得ている。このため、膨大な量の電線を束ねてなる電線群が車両に配索されている。また、電線群を保護するために、電線群を配索する経路に対応した構造のプロテクタが電線群に外装されている。
【０００３】
例えば、図６，７に示すように、１本または複数本の電線４０からなる電線群を束ねたバンド４１の先端部４１ａを、プロテクタ４２の底面に形成された係合部４３に係合させる構造を有したワイヤハーネスが既に知られている（例えば、特許文献１参照）。
【先行技術文献】
【特許文献】
【０００４】
【特許文献１】特開２０１４−９０５５２号公報
【発明の概要】
【発明が解決しようとする課題】
【０００５】
しかしながら、このような従来のワイヤハーネスにあっては、バンドの先端部のみをプロテクタに組み付けるため、例えば電線の軸方向に外力が作用した場合には、プロテクタに対するバンドの位置が固定されず、両者を係合させることができないという問題があった。
【０００６】
本発明は、上述のような課題を解決するためになされたもので、電線群に軸方向の外力が作用しても、電線群を保持するバンドをプロテクタに確実に保持できるワイヤハーネスを提供することを目的とする。
【課題を解決するための手段】
【０００７】
本発明に係るワイヤハーネスは、上記目的達成のため、電線群と、貫通孔を有するバンドヘッドと、一端が前記バンドヘッドの一側面より延出するバンドと、前記バンドの他端側の側面の領域に鋸刃状の係止部とを有する可撓性樹脂製であり、前記電線群を一巻きし、前記バンドの前記他端が前記貫通孔に挿通され、前記電線群を締め付ける結束バンドと、プロテクタ本体部と蓋部とを有し、前記プロテクタ本体部に前記電線群の前記結束バンドに結束された部分を収容し、前記蓋部で前記プロテクタ本体部の開口部を閉じて保護するプロテクタと、を有するワイヤハーネスにおいて、前記バンドヘッドは、前記貫通孔の開口が存在しない外面部のうちの、少なくとも一つの外面部がバンド挿通方向に向かって形状が小さくなるように雄テーパ面とされており、前記プロテクタ本体部の底部は、前記バンドヘッドを収容しかつ前記一つの外面部である雄テーパ面と係合状態になる雌テーパ面を有するバンドヘッド収容部と、前記係止部をロックする脱出防止爪と、を有し、前記蓋部が前記バンドに密着するか、または前記蓋部と前記バンドとの隙間が、前記バンドヘッドが前記バンドヘッド収容部から脱出しない寸法とされるように構成されている。
【０００８】
この構成により、本発明に係るワイヤハーネスは、バンドヘッドがバンドヘッド収容部に嵌合状態に収容されているので、電線群に軸方向の外力が作用しても、該外力をバンドヘッド収容部の内側面が受け止めるから、脱出防止爪にロックされる結束バンドの鋸刃状の係止部には、ねじれて引っ張られる力が作用しないので、電線群を保持するバンドをプロテクタに確実に保持できる。
【０００９】
また、上記構成のワイヤハーネスは、前記バンドヘッドの前記バンドヘッド収容部を外れた底面部の、前記バンドが当接する箇所の両側位置に、前記バンドの移動を拘束する一対のリブを備えている構成であってもよい。
【００１０】
この構成により、本発明に係るワイヤハーネスは、一対のリブがバンドの移動を拘束しているので、電線群に軸方向の外力が一層大きく作用しても、該外力をバンドヘッド収容部の内側面が受け止めるとともに、一対のリブが受け止めるから、電線群を保持するバンドをプロテクタに確実に保持できる。
【００１１】
また、上記構成のワイヤハーネスにおいて、前記プロテクタ本体部と前記蓋部とからなる前記プロテクタが、前記電線群の幹線と分岐線との分岐部を収容するようにＴ形に設けられ、前記結束バンドおよび前記バンドヘッド収容部が分岐線に対応する位置に備えられている構成であってもよい。
【００１２】
この構成により、本発明に係るワイヤハーネスは、バンドヘッドがバンドヘッド収容部に嵌合状態に収容されているので、電線群の幹線に軸方向の外力が作用することにより、分岐線に軸方向の外力が作用しても、該外力をバンドヘッド収容部の内側面が受け止める、または、該外力をバンドヘッド収容部の内側面が受け止めるとともに、一対のリブが受け止めるから、電線群を保持するバンドをプロテクタに確実に保持できる。
【発明の効果】
【００１３】
本発明によれば、電線群に軸方向の外力が作用しても、電線群を保持するバンドをプロテクタに確実に保持できるワイヤハーネスを提供することができる。
【図面の簡単な説明】
【００１４】
【図１】本発明の一実施の形態に係るワイヤハーネスを示す斜視図である。
【図２】本発明の一実施の形態に係るワイヤハーネスにおける結束バンドとプロテクタ本体部を示す分解斜視図である。
【図３】図１におけるＡ−Ａ線断面図である。
【図４】本発明の一実施の形態に係るワイヤハーネスにおけるバンドヘッド収容部を示す断面図である。
【図５】本発明の一実施の形態に係るワイヤハーネスにおけるプロテクタ本体部を示す斜視図である。
【図６】従来のワイヤハーネスにおけるバンドとプロテクタを示す分解断面図である。
【図７】従来のワイヤハーネスにおけるバンドとプロテクタを示す断面図である。
【発明を実施するための形態】
【００１５】
次に、本発明に係る一実施の形態について図面を参照して説明する。
【００１６】
本実施の形態として示すワイヤハーネスは、自動車の車両に配索される車両用ワイヤハーネスに関するものである。
【００１７】
図１に示すように、ワイヤハーネス１は、幹線としての電線群３０と、電線群３０から分岐した分岐線としての電線群３１と、電線群３１を結束する結束バンド２と、電線群３１の結束バンド２に結束された部分を収容するプロテクタ３と、を備える。
【００１８】
幹線としての電線群３０は複数本の電線３２を含み、分岐線としての電線群３１は複数本の電線３２を含む。電線３２は、例えば、銅またはアルミニウムなどを主成分とする導体と、その導体の周囲を覆う例えばＰＶＣなどの絶縁被覆と、を有する絶縁電線である。
【００１９】
図２，３に示すように、結束バンド２は、貫通孔４を有するバンドヘッド５と、一端６ａがバンドヘッド５の一側面より延出する所要長さのバンド６と、バンド６の他端６ｂ側の側面の所要長さの領域に形成された鋸刃状の係止部７と、を有する可撓性樹脂製である。
【００２０】
結束バンド２は、電線群３１を一巻きし、バンド６の他端６ｂが貫通孔４に挿通され、電線群３１を締め付けるようになっている。なお、バンドヘッド５の内部には、係止部７をロックして電線群３１の締め付けが緩まないようにするための公知のロック機構が設けられていてもよい。
【００２１】
バンドヘッド５は、貫通孔４の開口が存在しない外面部のうちの、少なくとも一つの外面部がバンド挿通方向（図２のｚ軸負方向）に向かって形状が小さくなるように雄テーパ面５ａとされている。
【００２２】
図１に示すように、プロテクタ３は、プロテクタ本体部８と蓋部９とからなり、幹線としての電線群３０と分岐線としての電線群３１との分岐部を収容するようにＴ形に設けられている。
【００２３】
プロテクタ本体部８および蓋部９は、例えば、ポリプロピレン（ＰＰ）、ポリエチレン（ＰＥ）、ポリ塩化ビニル（ＰＶＣ）、ポリエチレンテレフタラート（ＰＥＴ）、またはポリアミド（ＰＡ）などの非導電性の合成樹脂が成形されてなる部材である。
【００２４】
図１，２に示すように、プロテクタ本体部８と蓋部９とを有するプロテクタ３は、プロテクタ本体部８に電線群３１の結束バンド２に結束された部分を収容し、蓋部９でプロテクタ本体部８の開口部１０を閉じて保護するようになっている。
【００２５】
例えば、蓋部９とプロテクタ本体部８とは、任意のロック機構により着脱可能に設けられている。あるいは、蓋部９とプロテクタ本体部８とはヒンジ部を介してプロテクタ本体部８の開口部１０を開閉可能に連結されていてもよい。
【００２６】
図２，３に示すように、プロテクタ本体部８の底部は、バンドヘッド５を収容しかつ一つの外面部である雄テーパ面５ａと係合状態になる雌テーパ面１１ａを有するバンドヘッド収容部１１を有する。結束バンド２およびバンドヘッド収容部１１は、分岐線としての電線群３１に対応する位置に備えられている。
【００２７】
バンドヘッド収容部１１は、電線群３１を結束した結束バンド２がプロテクタ３内に収容される際に、バンドヘッド５のｘ軸方向の移動を規制するための一対の誘い込みリブ１２を有する。
【００２８】
蓋部９は、その下面がバンド６に密着するか、またはバンド６と所定の隙間δを有して配置される。この蓋部９の下面とバンド６との隙間δは、バンドヘッド５がバンドヘッド収容部１１から脱出しない寸法とされている。具体的には、隙間δがバンドヘッド収容部１１の深さＤより小さければよい。
【００２９】
図２に示すように、プロテクタ本体部８は、バンドヘッド５のバンドヘッド収容部１１を外れた底面部の、バンド６が当接する箇所の両側位置に、プロテクタ本体部８内に収容されたバンド６のｘ軸方向の移動を拘束する一対のずれ止めリブ１３を備えている。なお、同様のリブが蓋部９の下面の対応する箇所に形成されていてもよい。
【００３０】
さらに、図３，４に示すように、プロテクタ本体部８の底部は、バンド６の係止部７をロックする脱出防止爪１４を有している。これにより、電線群３１を結束した結束バンド２がプロテクタ３内に収容される際に、バンド６の他端６ｂをプロテクタ本体部８内に仮保持することができる。
【００３１】
次に、本実施の形態に係るワイヤハーネス１の組み立て手順について簡単に説明する。
【００３２】
まず、分岐線としての電線群３１の所定位置に結束バンド２を巻きつけて、バンド６の他端６ｂを貫通孔４に挿通する（結束工程）。次に、図５に示すように、プロテクタ本体部８から蓋部９を取り外す。
【００３３】
次に、電線群３１を結束した結束バンド２のバンドヘッド５をプロテクタ本体部８のバンドヘッド収容部１１に収容する（収容工程）。このとき、バンドヘッド５は誘い込みリブ１２によりｘ軸方向の移動が規制されるため、バンドヘッド５を容易にバンドヘッド収容部１１に収容することができる。また、バンド６の他端６ｂがプロテクタ本体部８内に仮保持される。
【００３４】
なお、上記の結束工程において電線群３１を結束バンド２で緩く結束しておき、収容工程後にバンド６の他端６ｂを下向きに引っ張って、係止部７と脱出防止爪１４との係合位置を変化させることにより、電線群３１を結束バンド２できつく結束することも可能である。
【００３５】
次に、図１に示すように、プロテクタ本体部８に蓋部９を取り付けて、ワイヤハーネス１の組み立てが完了する。
【００３６】
以上のように、本実施の形態に係るワイヤハーネス１は、バンドヘッド５がバンドヘッド収容部１１に嵌合状態に収容されているので、電線群３１に軸方向の外力が作用しても、該外力をバンドヘッド収容部１１の内側面が受け止めるから、脱出防止爪１４とバンド６の鋸刃状の係止部７のロックに外力が作用せず、ロックを安全に保持することができる。これにより、電線群３１を保持するバンド６をプロテクタ３に確実に保持できる。
【００３７】
また、本実施の形態に係るワイヤハーネス１は、一対のずれ止めリブ１３がバンド６の移動を拘束しているので、電線群３１に軸方向の外力が一層大きく作用しても、該外力をバンドヘッド収容部１１の内側面が受け止めるとともに、一対のずれ止めリブ１３が受け止めるから、ロックを安全に保持することができる。これにより、電線群３１を保持するバンド６をプロテクタ３に確実に保持できる。
【００３８】
また、本実施の形態に係るワイヤハーネス１は、バンドヘッド５がバンドヘッド収容部１１に嵌合状態に収容されているので、幹線としての電線群３０に軸方向の外力が作用することにより、分岐線としての電線群３１に軸方向の外力が作用しても、該外力をバンドヘッド収容部１１の内側面が受け止める、または、該外力をバンドヘッド収容部１１の内側面が受け止めるとともに、一対のずれ止めリブ１３が受け止めるから、ロックを安全に保持することができる。これにより、電線群３１を保持するバンド６をプロテクタ３に確実に保持できる。
【００３９】
また、本実施の形態に係るワイヤハーネス１は、バンドヘッド５をバンドヘッド収容部１１に収容して固定することにより、結束バンド２がプロテクタ３を飛び出すことを抑制できるため、周囲の電線群３０，３１の絶縁被覆が損傷することを防止できる。また、プロテクタ３に対するバンド６の位置を固定できるため、ワイヤハーネス１の寸法調整を容易に行うことができる。
【００４０】
以上説明したように、本発明に係るワイヤハーネスは、電線群に軸方向の外力が作用しても、電線群を保持するバンドをプロテクタに確実に保持できるという効果を有し、電線群を保護するプロテクタを備えるワイヤハーネス全般に有用である。
【符号の説明】
【００４１】
１  ワイヤハーネス
２  結束バンド
３  プロテクタ
４  貫通孔
５  バンドヘッド
５ａ  雄テーパ面
６  バンド
６ａ  一端
６ｂ  他端
７  係止部
８  プロテクタ本体部
９  蓋部
１０  開口部
１１  バンドヘッド収容部
１１ａ  雌テーパ面
１２  誘い込みリブ
１３  ずれ止めリブ
１４  脱出防止爪
３０，３１  電線群
【図１】
2017079504.tif 000003
【図２】
2017079504.tif 000004
【図３】
2017079504.tif 000005
【図４】
2017079504.tif 000006
【図５】
2017079504.tif 000007
【図６】
2017079504.tif 000008
【図７】
2017079504.tif 000009